(57)【要約】      （修正有）【課題】リビングルーム内の床、壁、天井に設置して、種々の組み合わせで構成できるボード型家具において、装飾性、機能性を変更できるデザイン性フリーボード家具を提供する。【解決手段】厚さ２０〜５０ｍｍ、横３００〜５００ｍｍ、縦３００〜５００ｍｍの寸法のフラッシュパネルで、細長コ字とロ字の結合型箱状体及びロの字型の箱体で、箱状体及び箱体の外面、及び内面に、表装材とスチール箔と合成板からなる化粧板を張ったものであり、箱状体及び箱体の２〜１０個を種々に組み合わせた家具形態を構成させ、箱状体と箱体の２〜１０個に組み立て、それぞれの箱状体と箱体の接合面にマグネットシートを咬み合わせて構成されている。【選択図】図１
0003215190.tif 000002
【実用新案登録請求の範囲】
【請求項１】
リビングルーム内の床、壁、天井に設置して、種々の組み合わせで構成できる組み立て式ボード家具において、厚さ２０〜５０ｍｍ、横３００〜５００ｍｍ、縦３００〜５００ｍｍ、奥行き３００〜１０００ｍｍの寸法のフラッシュパネルで、細長コ字とロ字の結合型箱状体、及びロの字型の箱体で、前記箱状体及び箱体の外面、及び内面に、表装材とスチール箔と合成板からなる化粧板を張ったものであり、前記箱状体及び箱体の２〜１０個を種々に組み合わせたボード家具形態を構成させ、前記箱状体と箱体の２〜１０個に種々組み立て、それぞれの箱状体と箱体の接合面にマグネットのボンド磁性シートを二枚咬み合わせた磁性体シートとによって構成されていることを特徴とする組み合わせデザイン性フリーボード家具。
【請求項２】
前記箱状体及び箱体の外面、及び内面に、表装材とスチール箔と薄板からなるマグネット吸着化粧板を使用されている四面体状の細長コ字とロ字の結合型箱状体、及び五面体状のロの字型の箱体のうち、三面、四面に張っており、前記箱状体及び箱体を横、縦、上下に並べた前記箱状体及び箱体の外面を種々に積み重ね、或いは組み合わせたデザイン性フリーボード家具にして、前記デザイン性フリーボード家具は、種々の物品を置いたり、貼りつけたり、掛けたりできるオープンラック、フリーラック、サイドボード、オープンシェルボードであるボート型家具になり、前記家具の内側にもマグネット用具を取り付けることができる表装材とスチール箔を含んでいる化粧板を使用されていることを特徴とする請求項１に記載の組み合わせデザイン性フリーボード家具。
【請求項３】
前記箱状体及び箱体の外面、及び内面に張る磁性シート吸着できる装飾性表装材である化粧板は、表装材の表面には、０．０５〜１ｍｍの生地色から濃厚色、又は自然素材の木質の質感をもつ模様を施した紙体箔、又は突板、又は樹脂フイルムを貼って、磁気吸着力を持つ表面体内に２５〜１００μｍの厚さのスチール箔を含んでいる化粧板を使用して、内面と内面とを合わせた面積で５０〜１００％の面積にボンド状の磁性体シートを付着できる装飾性表装材を張り付けて、前記化粧板を張り付けた箱状体と箱体の外見の側板面、天板面、底板面、裏板面で、それぞれの箱状体と箱体の接合面に磁性体シートを嵌め込みせて構成されていることを特徴とする請求項１、又は請求項２の記載の組み合わせデザイン性フリーボード家具。
【請求項４】
前記箱状体と箱体の接合面に使用する磁性体シートは、１〜６ｍｍ厚さのＮＳ極を持つボンド磁性シートを二枚合わせた２〜６ｍｍのシート体であって、前記箱状体及び箱体の外面の面積に対して５０〜１００％の大きさの長方形、又は正方形、又は円形であって、それぞれの箱状体と箱体の外見の側板、天板、底板、裏板で合わせて中間隙間部に張って  残留磁束密度（Ｂｒ）＝２〜１０ｋＧ，  保磁力（Ｈｃ）＝２〜２０ｋＯｅ、の磁力を持つ磁性体のシート状であることを特徴とする請求項１〜請求項３のいずれかに記載の組み合わせデザイン性フリーボード家具。
【請求項５】
種々の物品を置いたり、掛けたりできるフリーボードは、オープンラック、フリーラック、サイドボード、オープンボードであって、前記箱状体と箱体を、横に１〜３個、縦に１〜６段に組み合わせて２〜１０個を配列したものであって、全体の寸法として幅３００〜１５００ｍｍ、高さ３００〜２０００ｍｍ、奥行き３００〜５００ｍｍであり、細長コ字とロ字の結合型箱状体及びロの字型の箱体で使用した棚、仕切り板、固定板を厚さ２０〜５０ｍｍのフラッシュパネルに使用して、その表面を前記のスチール箔を含んでいる化粧板を張った板材を表面に張っていることを特徴とする請求項１〜請求項４のいずれかに記載の組み合わせデザイン性フリーボード家具。
【考案の詳細な説明】
【技術分野】
【０００１】本考案は、種々の物品を置いたり、掛けたりできるフリーボードの外見の側板、天板、底板、裏板、並びに内見の内板に装飾的表装材として貼ったスチール箔を含んでいる化粧板を使用され、種々のマグネットの用具を吸着させることが可能な意匠性木製オープンボード家具に関するものである。
【背景技術】
【０００２】使用目的や部屋の空間に適宜適応させ、形状を変化して配置することを可能とした組合せ家具を供することを目的して、Ｌ字状で内部を３箇と１箇のブロック空間に形成したユニット体の１対と、ブロック空間内に収納される引出し箱とからなる組合せ家具であり、ブロック空間内にＨ状の仕切り枠を挿入可能となし、該Ｈ状仕切り枠の上段や下段には夫々小型引出し箱が入れられるようにすることが出来る構成家具が提案されている（特許文献１参照）。【０００３】家具のデザイン性を増すために、円柱形状と四角形状と組み合わせたサイドボードであって、円柱形状は直径４００〜５００ｍｍψ、高さ７００〜１０００ｍｍ、四角形状は、縦２５０〜３５０ｍｍ、横３５０〜４５０ｍｍ、高さ７００〜１０００ｍｍで、脚部を４〜７本で高さ１００〜２００ｍｍにして、円柱形の形状体には、内部棚付き開き戸部１、又は３〜４段の引出部にして、四角形の形状体には、２〜３段の棚部にして、円柱と角状の形状コラボの家具として円柱状を浮かせたようなデザインになっているデザイン性円形状付きサイドボード家具を提供する（特許文献２参照）。【０００４】家具の引き出しの開放などを防ぐために、簡単な構造でバネによる付勢力の低下を招くことなく、バネの不用意な離脱を防止することができるチェストの引出ロック構造が提供されている（特許文献３参照）。【０００５】配置的家具として、有用で且つ良好な意匠性で深みのある質感の装飾を主体にして、開き戸部付きで、角形様デザイン性を持たせたサイドボード家具を提供するために、４〜６角形の形状した側板枠体２の中心部に類似の形状体を設けて、中心の４〜６角形の形状体を開き戸部、引出部にして、その周囲に４〜８段の棚板と仕切り板とを設けた棚部を配列する。角形周囲に中心部同形の形状をもたせて、中心位置での開き戸部、引出部の平面を装飾平板で形成し、家具内で浮いたようなデザイン性を持たせるボードを提供している（特許文献４参照）。【０００６】マグネット吸着可能な意匠性木製オープンボード家具において、種々の物品を置いたり、掛けたりできるフリーボードの外見の側板、天板、底板、裏板、並びに内見の内板に装飾的表装材として貼ったスチール箔を含んでいる化粧板を使用され、種々のマグネットの用具を吸着させることが可能な意匠性木製オープンボード家具の表面、側面、裏面に、表装材を貼ったスチール箔を含んでいる化粧板を使用している簡単に開かない家具は存在してない。
【先行技術文献】
【特許文献】
【０００７】
【特許文献１】実用新案登録第３００８７１７号公報
【特許文献２】実用新案登録第３２０３８４３号公報
【特許文献３】特開２０１３−４６７２４号公報
【特許文献４】実用新案登録第３１９８５３１号公報
【考案の概要】
【考案が解決しようとする課題】
【０００８】リビングルームなどに設置して、部屋内の装飾と種々の物品を置いたり、掛けたりになっているフリーボードは、オーフンラック、フリーラック、サイドボード、オープンシェルボードなどであるが、一度設置してしますと、前記ボードの状態を大幅に変更できず、また内装的に大幅な模様替えが難しい状態である。このような従来の構成が有していたオープンボード、サイドボードなどデザイン性家具において部分的に模様替えが難しい状態であるが、これらの問題を解決しようとするもので、マグネット用具によって行うことのできる装飾性、機能性を変更できることできるボード家具を提供することを目的とする。【０００９】顧客がオープンボードを購入する場合には，ボード家具には、デザインとして、機能として、１〜３面でオープンになっており、種々の置物、或いは収納物を置くことが可能となっており、棚板、側板が取り付けられている。これらボード家具に装飾的に置物、および収納物で簡単に開放される。ボード家具の表面、側面のスチール箔を含む化粧板を使用すると、マグネット用具、マグネットシートを貼りつけることによって趣、装飾性が変わってくる。【００１０】部屋の装飾、雰囲気を変える場合には、家具などのオープンボードにマグネット用具、シートを貼り付けて、オープンボード家具自身の状態、雰囲気が大きく変わってくる。通常は近くに場所に置いて、必要な時にマグネット用具によって装飾の役目を行うようにすれば、またオープンボードに貼りつけた前記化粧板においては、マグネット用具などが吸着することで部屋の様相が全く変わった形態になったと思われるオープンボードなどの家具となってくる。【００１１】オープンボードにおいて、ボードの表面、側面、裏面、内面に磁気吸着力を持つ表面体内にスチール箔を含んでいる化粧板を使用していると、模様、写真のプリントされたボンド磁性シートを貼ることができて、その模様、写真のプリントの模様を種々変えと、家具を部屋内に設置する環境（具体的には自分の家の居間等の部屋）に実際に家具の模様若干変更して、簡単に家具の表面をモデルチェンジさせることができる。設置した家具に自身の記憶に頼って想像したイメージの絵柄を貼り合わせながら家具の模様を選択することもできる。好みのデザイン写真、模様を貼ることによって，上記環境と調和のとれた家具を設置することを期待されている。【００１２】そこで，本考案は上記事情に鑑みてなされたものであり，その目的とするところは，ボード家具の表面、側面、裏面、内面にスチール箔を含む化粧板を使用すると、マグネット用具、シートによってオープンボード全体の模様替えを果たすものであり、種々のマグネットの用具を吸着させることが可能な意匠性木製オープンボード家具を提供することを目的とする。
【課題を解決するための手段】
【００１３】リビングルーム内の床、壁、天井に設置して、種々の組み合わせで構成できるボード型家具において厚さ２０〜５０ｍｍ、横３００〜５００ｍｍ、縦３００〜５００ｍｍ、奥行き３００〜１０００ｍｍの寸法のフラッシュパネルで、細長コ字とロ字の結合型箱状体及びロの字型の箱体で、前記箱状体及び箱体の外面、及び内面に、表装材とスチール箔と合成板からなる化粧板を張ったものであり、前記箱状体及び箱体の２〜１０個を種々に組み合わせたボード型家具形態を構成させ、前記箱状体と箱体の２〜１０個に組み立て、それぞれの箱状体と箱体の接合面にマグネットのシートを二枚咬み合わせた磁性体シートとで構成されている組み合わせデザイン性フリーボード家具である。【００１４】前記箱状体及び箱体の外面、及び内面に、表装材とスチール箔と薄板からなるマグネット吸着化粧板を使用されている四面体状の細長コ字とロ字の結合型箱状体、及び五面体状のロの字型の箱体のうち、三面、四面に張っており、前記箱状体及び箱体を横、縦、上下に並べた前記箱状体及び箱体の外面を種々に積み重ね、或いは組み合わせたデザイン性フリーボード家具にして、前記デザイン性フリーボード家具は、種々の物品を置いたり、貼りつけたり、掛けたりできるオープンラック、フリーラック、サイドボード、オープンシェルボードであるボート型家具でなり、前記家具の内側にもマグネット用具を取り付けることができる表装材とスチール箔を含んでいる化粧板を使用されている。【００１５】前記箱状体及び箱体の外面、及び内面に張る磁性シート吸着できる装飾性表装材である化粧板は、表装材の表面には、０．０５〜１ｍｍの生地色から濃厚色、又は自然素材の木質の質感をもつ模様を施した紙体箔、又は突板、又は樹脂フイルムを貼って、磁気吸着力を持つ表面体内に２５〜１００μｍの厚さのスチール箔を含んでいる化粧板を使用して、内面と内面とを合わせた面積で５０〜１００％の面積にボンド状の磁性体シートを付着できる装飾性表装材を張り付けて、前記化粧板を張り付けた箱状体と箱体の外見の側板面、天板面、底板面、裏板面で、それぞれの箱状体と箱体の接合面に磁性体シートを嵌め込みせて構成されている。【００１６】前記箱状体と箱体の接合面に使用する磁性体シートは、１〜６ｍｍ厚さのＮＳ極を持つボンド磁性シートを二枚合わせた２〜６ｍｍのシート体であって、前記箱状体及び箱体の外面の面積に対して５０〜１００％の大きさの長方形、又は正方形、又は円形であって、それぞれの箱状体と箱体の外見の側板、天板、底板、裏板で合わせて中間隙間部に張って  残留磁束密度（Ｂｒ）＝２〜１０ｋＧ，  保磁力（Ｈｃ）＝２〜２０ｋＯｅ、の磁力を持つ磁性体のシート状である。【００１７】種々の物品を置いたり、掛けたりできるフリーボードは、オープンラック、フリーラック、サイドボード、オープンシェルボードであって、前記箱状体と箱体を、横に１〜３個、縦に１〜６段に組み合わせて２〜１０個を配列したものであって、全体の寸法として幅３００〜１５００ｍｍ、高さ３００〜２０００ｍｍ、奥行き３００〜５００ｍｍであり、細長コ字とロ字の結合型箱状体及びロの字型の箱体で使用した棚、仕切り板、固定板を厚さ２０〜５０ｍｍのフラッシュパネルに使用して、その表面を前記のスチール箔を含んでいる化粧板を張った板材を表面に張っている。
【考案の効果】
【００１８】リビングルームなどに設置して、部屋内の装飾と種々の物品を置いたり、掛けたりできるフリーボードは、オーフンラック、フリーラック、サイドボード、オープンシェルボードであるが、一度設置した前記ボードの装飾状態で、内装的に大幅な模様替えることができた。このようなオープンボード、サイドボードなどデザイン性家具において機能的なマグネット用具、或いは装飾性マグネットシートを取り付けることによって部分的に模様替えができるようになった。マグネット用具によって行うことのできる装飾性、機能性を変更できることできるボード家具を提供できた。【００１９】オープンボードにおいて、ボードの表面、側面、裏面、内面に磁気吸着力を持つ表面体内にスチール箔を含んでいる化粧板を使用しているので、模様、写真のプリントされたボンド磁性シートを貼ることができて、その模様、写真のプリントの模様を種々変えと、家具を部屋内に設置する環境（具体的には自分の家の居間等の部屋）に実際に家具の模様若干変更して、簡単に家具の表面をモデルチェンジさせ、設置した家具に自身の記憶に頼って想像したイメージの絵柄を貼り合わせながら家具の模様も選択できた。また側面等に、人物、自然、風景、アニメから選ばれた図柄、写真、及び計画表、或はメモ書表などボンド磁性シートを貼ることができて、家具を状況によって図柄、写真の模様替えした部屋にしても，満足感がえられて，部屋と自身の調和のとれないボード家具になった。
【図面の簡単な説明】
【００２０】
【図１】マグネット吸着可能な意匠性木製オープンボード家具における基本箱状体（一体）、及び箱体（一体）の斜視図である。Ａ：細長コ字とロ字の結合型箱状体  Ｂ：ロの字型の箱体
【図２】マグネット吸着可能な意匠性木製オープンボード家具の組み立て家具の斜視図である。Ａ：５段組み立てフリーボード  Ｂ：７段組み立てフリーボード  Ｃ：細長コ字とロ字の結合型箱状体の基本形
【図３】マグネット吸着可能な意匠性木製オープンボード家具を壁に取り付けた状態図である。Ａ：壁に取り付けたボード家具  Ｂ：斜めに壁に取り付けたボード家具
【図４】マグネット吸着可能な意匠性木製オープンボード家具（３段フリーボー）、正面、側面の図である。Ａ：正面  Ｂ：側面
【図５】マグネット吸着可能な意匠性木製オープンボード家具の組み立て家具における接合状態を示す状態図  Ａ：接合用磁性体シート  Ｂ：箱体と箱状体に使用する磁性体シートの状態  Ｃ：磁性体シートを貼って組み立てたもの
【考案を実施するための形態】
【００２１】以下、本考案の実施形態について、図１〜図５の図面を参照して説明する。
リビングルームなどに設置して、種々の物品を置いたり、掛けたりできるフリーボードにおいて、前記ボートの外見の側板、天板、底板、裏板、並びに内見の内板に表装材として貼ったスチール箔を含んでいる化粧板を使用したマグネット吸着可能な意匠性木製オープンボード家具である。
【００２２】図１は、マグネット吸着可能な意匠性木製オープンボード家具の斜視図で、図２は、マグネット吸着可能な意匠性木製オープンボード家具の表面の状態図で、図３は、マグネット吸着可能な意匠性木製オープンボード家具に様相を変えた状態図で、図４はマグネット吸着可能な意匠性木製オープンボード家具、正面、側面、裏面の図で、図５は、マグネット吸着可能な意匠性木製オープンボード家具に開放用マグネット用具を取り付けた状態の部屋の状態斜視図である。
【実施例１】
【００２３】図１のＡＢで示すように、Ａ：細長コ字とロ字の結合型箱状体  Ｂ：ロの字型の箱体を組み立てた、図２に示すようなフリーボードは、５段のオープンラックであって、コの字、及びロの字の箱状の形状体を横、縦に組み合わせたもので、横に１個、縦に５段と７段（図２に示す）に配列したものであって、全体の寸法として幅８００ｍｍ、高さ１６９０ｍｍ、奥行き３１０ｍｍであり、使用した棚、仕切り板、固定板を厚さ４０ｍｍのフラッシュパネルに前記のスチール箔を含んだものを使用した。【００２４】前記のオープンボードの表面に張る磁性シートを付着できる装飾性表装材である化粧板は、表装材の表面には、０・１ｍｍの木質の質感をもつ模様を施した紙体を貼って、磁気吸着力を持つ表面体内に５０μｍの厚さのスチール箔を含んでいる化粧板を使用して、表面と側面と裏面と内面と合わせた面積で９００％の面積にボンド磁性シートを付着できる装飾性表装材を張り付けて、前記化粧板を張り付けた外見の側板、天板、底板、裏板、並びに内見の内板の一部に磁性体を取り付けた用具を吸着させた。【００２５】図５に示すように種々の物品を置いたり、掛けたりできるフリーボード家具の外見の側板、天板、底板、裏板、並びに内見の内板に取り付けたり、貼りつけたりできる磁性体を取り付けている用具は、１ｍｍの厚さの  残留磁束密度（Ｂｒ）＝２ｋＧ，  保磁力（Ｈｃ）＝５ｋＯｅの磁力を持つボンド磁性シートを貼りつけた。図３，図４のように壁面にこれらのオープン家具類を壁面のマグネットシートを介して貼りつけた。非常に効率的に小物を展示できた。
【実施例２】
【００２６】リビングルーム内の床、壁、天井に設置して、種々の組み合わせで構成できる組み立て式ボード家具において、厚さ２０〜５０ｍｍ、幅３００〜５００ｍｍ、高さ３００〜５００ｍｍの寸法のフラッシュパネルで、細長コ字とロ字の結合型箱状体、及びロの字型の箱体で、前記箱状体及び箱体の外面、及び内面に、表装材とスチール箔と合成板からなる化粧板を張った。前記箱状体及び箱体の２〜１０個を種々に組み合わせたボード家具形態を構成させ、前記箱状体と箱体の２〜１０個に種々組み立て、それぞれの箱状体と箱体の接合面にマグネットのボンド磁性体シートを二枚咬み合わせた磁性体シートとによって構成された。【００２７】前記箱状体及び箱体の外面、及び内面に、表装材とスチール箔と薄板からなるマグネット吸着化粧板を使用されている四面体状の細長コ字とロ字の結合型箱状体、及び五面体状のロの字型の箱体のうち、三面、四面に張っており、前記箱状体及び箱体を横、縦、上下に並べた前記箱状体及び箱体の外面を種々に積み重ね、或いは組み合わせたデザイン性フリーボード家具にして、前記デザイン性フリーボード家具は、種々の物品を置いたり、貼りつけたり、掛けたりできるオープンラック、フリーラック、サイドボード、オープンシェルボードであるボート型家具で、希望のような配置に組み立てることができた。前記家具の内側にもマグネット用具を取り付けることができる表装材とスチール箔を含んでいる化粧板を使用した。また壁面には前記の化粧板を使用された。【００２８】前記箱状体及び箱体の外面、及び内面に張る磁性シート吸着できる装飾性表装材である化粧板は、表装材の表面には、０．０５〜１ｍｍの生地色から濃厚色、又は自然素材の木質の質感をもつ模様を施した紙体箔、又は突板、又は樹脂フイルムを貼って、磁気吸着力を持つ表面体内に２５〜１００μｍの厚さのスチール箔を含んでいる化粧板を使用して、内面と内面とを合わせた面積で５０〜１００％の面積にボンド状の磁性体シートを付着できる装飾性表装材を張り付けて、前記化粧板を張り付けた箱状体と箱体の外見の側板面、天板面、底板面、裏板面で、それぞれの箱状体と箱体の接合面に磁性体シートを嵌め込みせて構成された。種々のもの組み合わせができて、要望できるデザインの家具になった。【００２９】前記箱状体と箱体の接合面に使用するボンド磁性体シートは、１〜６ｍｍ厚さのＮＳ極を持つボンド磁性シートを二枚合わせた２〜６ｍｍのシート体であって、前記箱状体及び箱体の外面の面積に対して５０〜１００％の大きさの長方形、又は正方形、又は円形であって、それぞれの箱状体と箱体の外見の側板、天板、底板、裏板で合わせて中間隙間部に張って  残留磁束密度（Ｂｒ）＝２〜１０ｋＧ，  保磁力（Ｈｃ）＝２〜２０ｋＯｅ、の磁力を持つボンド磁性体のシート状であった。【００３０】種々の物品を置いたり、掛けたりできるフリーボードは、オープンラック、フリーラック、サイドボード、オープンボードであって、前記箱状体と箱体を、横に１〜３個、縦に１〜６段に組み合わせて２〜１０個を配列したものであって、全体の寸法として幅３００〜１５００ｍｍ、高さ３００〜２０００ｍｍ、奥行き３００〜５００ｍｍであり、細長コ字とロ字の結合型箱状体及びロの字型の箱体で使用した棚、仕切り板、固定板を厚さ２０〜５０ｍｍのフラッシュパネルに使用して、その表面を前記のスチール箔を含んでいる化粧板を張った板材を表面に張った。図３，図４のように壁面にこれらのオープン家具類を壁面のマグネットシートを介して貼りつけた。非常に効率的に小物を置くことができき、整理もよくなった。
【符号の説明】
【００３１】１、オープンボード
２、天板
３、前板
４．側板
５、裏板
６．スチール箔を含む化粧板
７．内面板、
８．壁面
９、表装材
１０、側面
１１、裏面
１２、底板
１３、ボンド磁性体シート（マグネットシート）
１４、磁性体吸着用具
１５、置物
１６、収納物
１７、飾り具
１８、ハンガー掛け
１９、天井吊り収納ボックス
【図１】
0003215190.tif 000003
【図２】
0003215190.tif 000004
【図３】
0003215190.tif 000005
【図４】
0003215190.tif 000006
【図５】
0003215190.tif 000007
【手続補正書】
【提出日】平成29年12月8日(2017.12.8)
【手続補正１】
【補正対象書類名】実用新案登録請求の範囲
【補正対象項目名】全文
【補正方法】変更
【補正の内容】
【実用新案登録請求の範囲】
【請求項１】
リビングルーム内の床、壁、天井に設置して、種々の組み合わせで構成できる組み立て式ボード家具において、厚さ２０〜５０ｍｍ、横３００〜５００ｍｍ、縦３００〜５００ｍｍ、奥行き３００〜１０００ｍｍの寸法のフラッシュパネルで、細長コ字とロ字の結合型箱状体、及びロの字型の箱体で、前記箱状体及び箱体の外面、及び内面に、表装材とスチール箔と合成板からなる化粧板を張ったものであり、前記箱状体及び箱体の２〜１０個を種々に組み合わせたボード家具形態を構成させ、前記箱状体と箱体の２〜１０個に種々組み立て、それぞれの箱状体と箱体の接合面にマグネットのボンド磁性シートを二枚咬み合わせた磁性体シートとによって構成されていることを特徴とする組み合わせデザイン性フリーボード家具。
【請求項２】
前記箱状体及び箱体の外面、及び内面に、表装材とスチール箔と薄板からなるマグネット吸着化粧板を使用されている四面体状の細長コ字とロ字の結合型箱状体、及び五面体状のロの字型の箱体のうち、前記箱状体、及び前記箱体の外面の裏板面、両側板面、天板面、及び底板面のうち三面〜五面に張っており、前記箱状体及び箱体を横、縦、上下に並べた前記箱状体及び箱体の外面を種々に積み重ね、或いは組み合わせたデザイン性フリーボード家具にして、前記デザイン性フリーボード家具は、種々の物品を置いたり、貼りつけたり、掛けたりできるオープンラック、フリーラック、サイドボード、オープンシェルボードであるボート型家具になり、前記家具の内側にもマグネット用具を取り付けることができる表装材とスチール箔を含んでいる化粧板を使用されていることを特徴とする請求項１に記載の組み合わせデザイン性フリーボード家具。
【請求項３】
前記箱状体及び箱体の外面、及び内面に張る磁性シート吸着できる装飾性表装材である化粧板は、表装材の表面には、０．０５〜１ｍｍの生地色から濃厚色、又は自然素材の木質の質感をもつ模様を施した紙体箔、又は突板、又は樹脂フイルムを貼って、磁気吸着力を持つ表面体内に２５〜１００μｍの厚さのスチール箔を含んでいる化粧板を使用して、前記箱状体、及び前記箱体の外面と内面とを合わせた面積で５０〜１００％の面積にボンド状の磁性体シートを付着できる装飾性表装材を張り付けて、前記化粧板を張り付けた箱状体と箱体の外見の側板面、天板面、底板面、裏板面で、それぞれの箱状体と箱体の接合面に磁性体シートを嵌め込みせて構成されていることを特徴とする請求項１、又は請求項２の記載の組み合わせデザイン性フリーボード家具。
【請求項４】
前記箱状体と箱体の接合面に使用する磁性体シートは、１〜６ｍｍ厚さのＮＳ極を持つボンド磁性シートを二枚咬み合わせた２〜６ｍｍ厚さのシート体であって、前記箱状体及び前記箱体の外面の面積に対して５０〜１００％の大きさの長方形、又は正方形、又は円形であって、それぞれの前記箱状体と前記箱体の外面の側板面、天板面、底板面、及び裏板面で種々合体させて、前記合体の接合面の中間隙間部に磁性体シートを敷き合わせた組み立て家具にして、前記磁性体シートとしては残留磁束密度（Ｂｒ）＝２〜１０ｋＧ，  保磁力（Ｈｃ）＝２〜２０ｋＯｅを持っていることを特徴とする請求項１〜請求項３のいずれかに記載の組み合わせデザイン性フリーボード家具。
【請求項５】
種々の物品を置いたり、掛けたりできるフリーボードは、オープンラック、フリーラック、サイドボード、オープンボードであって、前記箱状体と箱体を、横に１〜３個、縦に１〜６段に組み合わせて２〜１０個を配列したものであって、全体の寸法として幅３００〜１５００ｍｍ、高さ３００〜２０００ｍｍ、奥行き３００〜５００ｍｍであり、細長コ字とロ字の結合型箱状体及びロの字型の箱体で使用した棚、仕切り板、固定板を厚さ２０〜５０ｍｍのフラッシュパネルに使用して、その表面を前記のスチール箔を含んでいる化粧板を張った板材を表面に張っていることを特徴とする請求項１〜請求項４のいずれかに記載の組み合わせデザイン性フリーボード家具。
【手続補正２】
【補正対象書類名】明細書
【補正対象項目名】００１４
【補正方法】変更
【補正の内容】
【００１４】前記箱状体及び箱体の外面、及び内面に、表装材とスチール箔と薄板からなるマグネット吸着化粧板を使用されている四面体状の細長コ字とロ字の結合型箱状体、及び五面体状のロの字型の箱体のうち、前記箱状体、及び前記箱体の外面の裏板面、両側板面、天板面、及び底板面のうち三面〜五面に張っており、前記箱状体及び箱体を横、縦、上下に並べた前記箱状体及び箱体の外面を種々に積み重ね、或いは組み合わせたデザイン性フリーボード家具にして、前記デザイン性フリーボード家具は、種々の物品を置いたり、貼りつけたり、掛けたりできるオープンラック、フリーラック、サイドボード、オープンシェルボードであるボート型家具になり、前記家具の内側にもマグネット用具を取り付けることができる表装材とスチール箔を含んでいる化粧板を使用されている。
【手続補正３】
【補正対象書類名】明細書
【補正対象項目名】００１５
【補正方法】変更
【補正の内容】
【００１５】前記箱状体及び箱体の外面、及び内面に張る磁性シート吸着できる装飾性表装材である化粧板は、表装材の表面には、０．０５〜１ｍｍの生地色から濃厚色、又は自然素材の木質の質感をもつ模様を施した紙体箔、又は突板、又は樹脂フイルムを貼って、磁気吸着力を持つ表面体内に２５〜１００μｍの厚さのスチール箔を含んでいる化粧板を使用して、前記箱状体、及び前記箱体の外面と内面とを合わせた面積で５０〜１００％の面積にボンド状の磁性体シートを付着できる装飾性表装材を張り付けて、前記化粧板を張り付けた箱状体と箱体の外見の側板面、天板面、底板面、裏板面で、それぞれの箱状体と箱体の接合面に磁性体シートを嵌め込みせて構成されている。
【手続補正４】
【補正対象書類名】明細書
【補正対象項目名】００１６
【補正方法】変更
【補正の内容】
【００１６】前記箱状体と箱体の接合面に使用する磁性体シートは、１〜６ｍｍ厚さのＮＳ極を持つボンド磁性シートを二枚合わせた２〜６ｍｍ厚さのシート体であって、前記箱状体及び前記箱体の外面の面積に対して５０〜１００％の大きさの長方形、又は正方形、又は円形であって、それぞれの前記箱状体と前記箱体の外面の側板面、天板面、底板面、及び裏板面で種々合体させて、前記合体の接合面の中間隙間部に磁性体シートを敷き合わせた組み立て家具にして、前記磁性体シートの磁力で残留磁束密度（Ｂｒ）＝２〜１０ｋＧ，  保磁力（Ｈｃ）＝２〜２０ｋＯｅを持つ磁性体のシート状にしている。